(57)【要約】  本発明は、建物の大きな領域を隔離するために、独立して又は環境封じ込みユニットと組み合わせて使用されるフランジ及びそれを使用する方法を提供する。コリドールフランジは、フランジの一方の側である建物の一方の側を、フランジの他方の側である建物の他方の側から隔離するために、建物のコリドール内に設置される。【選択図】図１
2010535300.tif 000002
【特許請求の範囲】
【請求項１】
コリドールの一区域を隔離するためのフランジが、
第２の面に対向する第１の面を備えている本体と、
該フランジを貫通する、該本体を通って形成された再閉鎖可能な開口と、
第１の縁と、
該第１の縁に対向する第２の縁と、
該第１と第２の縁間に延在する第３の縁と、
該第３の縁に対向し、該第１と第２の縁間に延在する第４の縁と、
該第１の縁に隣接する第１のファスナーと、
該第２の縁に隣接する第２のファスナーと、
該第３の縁に隣接する第３のファスナーと、
該第４の縁に隣接する第４のファスナーと、
該フランジの第１の面に結合し、該第２のファスナーの上に延在する第１のフラップと、
該フランジの第１の面に結合し、該第２のファスナーの上に延在する第２のフラップと、
該フランジの第１の面に結合し、該第３のファスナーの上に延在する第３のフラップと、及び
該フランジの第１の面に結合し、該第４のファスナーの上に延在する第４のフラップと、
を備えているフランジ。
【請求項２】
該第１のファスナーが、前記第１の面の上の第１の接着剤であり、該第２のファスナーが、前記第１の面の上の第２の接着剤であり、該第３のファスナーが、前記第１の面の上の第３の接着剤であり、また該第４のファスナーが、前記第１の面の上の第４の接着剤であるところの請求項１に記載のフランジ。
【請求項３】
真空源を受け入れるための、該フランジを通る開口を更に備えている請求項１に記載のフランジ。
【請求項４】
高性能（ＨＥＰＡ）フィルター空気装置に結合する導管を受け入れるための、該フランジを通る開口を更に備えている請求項１に記載のフランジ。
【請求項５】
該フランジに結合され、環境封じ込みユニットとチャック締めにより結合するための少なくとも一部の開口を包囲しているジッパーを更に備えている請求項１に記載のフランジ。
【請求項６】
前記ジッパーが、該環境封じ込みユニットの開口の回りで前記フランジを前記フランジをチャック締めするためのものである請求項５に記載のフランジ。
【請求項７】
該フランジに結合され、環境封じ込みユニットと結合するための少なくとも一部の開口を包囲している手段を更に備えている請求項１に記載のフランジ。
【請求項８】
該第１の縁まで延在している部分を更に備え、該部分が、該第３の縁から第４の縁まで延在する折り重ね部分を備えているところの請求項１のフランジ。
【請求項９】
該開口の上方の位置で前記折り重ね部分を保持するための手段を更に備えている請求項８に記載のフランジ。
【請求項１０】
該フランジの該部分に結合したひもと、
該フランジに取り付けられた帯片であって、該ひもが該帯片と該フランジとの間に狭持されているところの該帯片と、及び
該ひもに沿って該フランジを押圧すための、該ひもに沿って可能な部材と、
を更に備えている請求項８に記載のフランジ。
【請求項１１】
該フランジの第２の面に結合された第５のフラップであって、前記第１のファスナーが、前記第１と第５のフラップの間に配置されているところの該第５のフラップと、
該フランジの第２の面に結合された第６のフラップであって、前記第２のファスナーが、前記第２と第６のフラップの間に配置されているところの第６のフラップと、
該フランジの第２の面に結合された第７のフラップであって、前記第３のファスナーが、前記第３と第７のフラップの間に配置されているところの第７のフラップと、
該フランジの第２の面に結合された第８のフラップであって、前記第４のファスナーが、前記第４と第８のフラップの間に配置されているところの該第８のフラップと、
を更に備えている請求項１に記載のフランジ。
【請求項１２】
各々のファスナーが、接着剤であるところの請求項１１に記載のフランジ。
【請求項１３】
該第１のファスナーに隣接する第５のファスナーと、
該第５のファスナーで留めるための、該第１のファスナーに隣接する第６のファスナーと、
該第２のファスナー隣接する第７のファスナーと、及び
該第７のファスナーで留めるための、該第２のファスナーに隣接する第８のファスナーと、
を更に備えている請求項１に記載のフランジ。
【請求項１４】
各々のファスナーが、接着剤であるところの請求項１３に記載のフランジ。
【請求項１５】
該第３のファスナーに隣接する第９のファスナーと、
該第９のファスナーで留めるための、該第３のファスナーに隣接する第１０のファスナーと、
該第４のファスナーに隣接する第１１のファスナーと、
該第１１のファスナーで留めるための、該第４のファスナーに隣接する第１２のファスナーと、
を更に備えている請求項１３に記載のフランジ。
【請求項１６】
各々のファスナーが、接着剤であるところの請求項１５に記載のフランジ。
【請求項１７】
該第１のファスナーが、前記第１の面の上のベルクロ（登録商標）の第１の帯片であり、該第２のファスナーが、前記第１の面の上のベルクロの第２の帯片であり、該第３のファスナーが、前記第１の面の上のベルクロの第３の帯片であり、また該第４のファスナーが、前記第１の面の上のベルクロの第４の帯片であるところの請求項１に記載のフランジ。
【請求項１８】
該フランジの第２の面に結合された第５のフラップであって、前記ベルクロの第１の帯片が、前記第１と第５のフラップの間に配置されているところの第５のフラップと、
該フランジの第２の面に結合された第６のフラップであって、前記ベルクロの第２の帯片が、前記第２と第６のフラップの間に配置されているところの第６のフラップと、
該フランジの第２の面に結合された第７のフラップであって、前記ベルクロの第３の帯片が、前記第３と第７のフラップの間に配置されているところの第７のフラップと、及び
該フランジの第２の面に結合された第８のフラップであって、前記ベルクロの第４の帯片が、前記第４と第８のフラップ間に配置されているところの第８のフラップと、
を更に備えている請求項１７に記載のフランジ。
【請求項１９】
該ベルクロの第１の帯片に隣接するベルクロの第５の帯片と、
該ベルクロの第５の帯片と結合するための、該ベルクロの第１の帯片に隣接するベルクロの第６の帯片と、
該ベルクロの第２の帯片に隣接するベルクロの第７の帯片と、及び
該ベルクロの第７の帯片と結合するための、該ベルクロの第２の帯片に隣接するベルクロの第８の帯片と、
を更に備えている請求項１７に記載のフランジ。
【請求項２０】
該ベルクロの第３の帯片に隣接するベルクロの第９の帯片と、
該ベルクロの第９の帯片と結合するための、該ベルクロの第３の帯片に隣接するベルクロの第１０の帯片と、
該ベルクロの第４の帯片に隣接するベルクロの第１１の帯片と、及び
該ベルクロの第１１の帯片と結合するための、該ベルクロの第４の帯片に隣接するベルクロの第１２の帯片と、
を更に備えている請求項１９に記載のフランジ。
【請求項２１】
該フランジが、更に
第１のパネルと、
該第１のパネルから延在する第２のパネルと、
該第２のパネルに対向する該第１のパネルから延在する第３のパネルと、
該第１のパネルから延在し、該第２と第３のパネルとの間にある第４のパネルと、及び
該第４のパネルに対向する該第１のパネルから延在し、該第２と第３のパネルの間にある第５のパネルであって、該第１のファスナーが該第２のパネルの上に貼られており、該第２のファスナーが該第３のパネルの上に貼られており、該第３のファスナーが該第４のパネルの上に貼られており、かつ該第４のファスナーが該第５のパネルの上に貼られているところの該第５のパネルと、
備えている請求項１に記載のフランジ。
【請求項２２】
該開口が、該第１のパネルを通って形成されているところの請求項２１に記載のフランジ。
【請求項２３】
コリドールの一区域を隔離するためのフランジが、
第２の面に対向する第１の面を備えている本体と、
該フランジを貫通する、該本体を通って形成された再閉鎖可能な開口と、
第１の縁と、
該第１の縁に対向する第２の縁と、
該第１と第２の縁との間に延在する第３の縁と、
該第３の縁に対向し、該第１と第２の縁の間に延在する第４の縁と、
該フランジの第１の面に結合し、該第１の縁の上に延在する第１のフラップと、
該フランジの第１の面に結合し、該第２の縁の上に延在する第２のフラップと、
該フランジの第１の面に結合し、該第３の縁の上に延在する第３のフラップと、及び
該フランジの第１の面に結合し、該第４の縁の上に延在する第４のフラップと、
を備えているフランジ。
【請求項２４】
該フランジの第２の面に結合した第５のフラップであって、前記第１の縁が前記第１と第５のフラップの間に配置されているところの該第５のフラップと、
該フランジの第２の面に結合した第６のフラップであって、前記第２の縁が前記第２と第６のフラップの間に配置されているところの該第６のフラップと、
該フランジの第２の面に結合した第７のフラップであって、前記第３の縁が前記第３と第７のフラップの間に配置されているところの該第７のフラップと、及び
該フランジの第２の面に結合した第８のフラップであって、前記第４の縁が前記第４と第８のフラップの間に配置されているところの該第８のフラップと、
を更に備えている請求項２３に記載のフランジ。
【請求項２５】
コリドールの一区域を隔離するためのフランジが、
第２の面に対向する第１の面を備えている本体と、
該フランジを貫通している該本体を通って形成された再閉鎖可能な開口と、
第１の縁と、
該第１の縁に対向する第２の縁と、
該第１と第２の縁との間に延在する第３の縁と、
該第３の縁に対向し、該第１と第２の縁との間に延在する第４の縁と、
前記縁の１つに隣接する、前記第１の面の上のファスナーと、及び
前記フランジの第１の面に結合し、該ファスナーの上に延在する第１のフラップと、
を備えているフランジ。
【請求項２６】
該第２の面に結合した第２のフラップを更に備えていて、前記ファスナーが前記第１と第２のフラップの間に配置されているところの請求項２５に記載のフランジ。
【請求項２７】
前記ファスナーが接着剤であるところの請求項２５に記載のフランジ。
【請求項２８】
前記ファスナーが、ベルクロの帯片であるところの請求項２５に記載のフランジ。
【請求項２９】
コリドールの区域を隔離するためのフランジが、
第２の面に対向する第１の面を備えている本体と、
該フランジを貫通している、該本体を通って形成された再閉鎖可能な開口と、
該本体を囲んでいる周囲の縁と、
該周囲の縁に沿っているファスナーと、及び
該フランジの第１の面に結合し、該ファスナーの上に延在する第１のフラップと、
を備えているフランジ。
【請求項３０】
該第２の面に結合された第２のフラップを更に備え、前記ファスナーが前記第１と第１のフラップの間に配置されているところの請求項２９に記載のフランジ。
【請求項３１】
前記ファスナーが接着剤であるところの請求項２９に記載のフランジ。
【請求項３２】
前記ファスナーが、前記周囲の縁に沿って延在するベルクロの帯片であるところの請求項２９に記載のフランジ。
【発明の詳細な説明】
【技術分野】
【０００１】
本発明は、隔離領域を提供するために、コリドール（回廊）内のいずれかの場所に用いることによって、建物又はコリドールの１つの領域を隔離するための、隔離装置の一部として用いられるフランジ及びその方法に関する。
【背景技術】
【０００２】
多くの場合、例えば知名度の高いオフィルビルディング、政府施設、空港、病院等のような建物内において、或る領域を別の領域と分けることが重要である。例えば、病院の一翼内に多数の患者を隔離するために、病院内の大きな領域を隔離する必要がある。そのような現行の隔離方法は領域閉鎖のための時間がかかり、障壁組立を必要とする。建物内に大きな領域を容易にかつタイムリーに隔離することができるような良好な装置及び方法が要望されている。
【発明の概要】
【０００３】
コリドール（回廊）の一区域を隔離するためのコリドールフランジが提供されている。このフランジは、フランジを貫通する、シール可能な開口と、頂縁と、底縁と、該頂縁と該底縁との間に延在する第１の側縁と、該頂縁に沿うベルクロ（登録商標）（面ファスナー）の第１の帯片と、該底縁に沿うベルクロの第２の帯片と、該第１の側縁に沿うベルクロの第３の帯片と、該第２の側縁に沿うベルクロの第４の帯片と、該フランジに結合され、該第１の帯片の上に延在する第１のフラップ（垂下物）と、該フランジに結合され、該第２の帯片の上に延在する第２のフラップと、該フランジに結合され、該第３の帯片の上に延在する第３のフラップと、該フランジに結合され、該第４の帯片の上に延在する第４のフラップとを含んでいる。
【０００４】
別の実施形態においては、コリドールの一部を隔離するためのフランジが提供されている。該フランジは、第２の面に向い合う第１の面を含む本体と、該フランジを貫通する、該本体を通って形成された再閉鎖可能な開口と、第１の縁と、該第１の縁に向い合う第２の縁と、該第１と第２の縁との間に延在する第３の縁と、該第３の縁に向い合い、該第１と第２の縁との間に延在する第４の縁と、該第１の縁に隣接する第１のファスナーと、該第２の縁に隣接する第２のファスナーと、該第３の縁に隣接する第３のファスナーと、該第４の縁に隣接する第４のファスナーと、該フランジの第１の面に結合され、該第１のファスナーの上に延在する第１のフラップと、該フランジの第１の面に結合され、該第２のファスナーの上に延在する第２のフラップと、該フランジの第１の面に結合され、該第３のファスナーの上に延在する第３のフラップと、該フランジの第１の面に結合され、該第４のファスナーの上に延在する第４のフラップと、を含んでいる。
【０００５】
別の実施形態では、真空源を受け入れるために、フランジを通る開口が形成されている。更に別の実施形態では、フランジはまた、高性能（ＨＥＰＡ）フィルター空気装置に結合されている導管を受け入れるための開口を含んでいる。更なる実施形態では、ジッパーがフランジに結合されており、該ジッパーは、環境封じ込みユニットにチャック締めにより結合するための、少なくとも一部の開口を包囲している。更に別の実施形態では、ジッパーは、環境封じ込みユニット内の開口の回りでフランジをチャック締めするためのものである。別の実施形態では、フランジに結合され、環境封じ込みユニットと結合するために、少なくとも開口の一部を囲んでいる手段が提供されている。また別の実施形態では、フランジは第１の縁へと延在している部分を含んでいる。該部分は、第３の縁から第４の縁へと延在する折り重ねられた部分を含んでいる。フランジはまた、開口の上の位置で折り重ねられた部分を保持するための手段を含んでいる。フランジはまた、該フランジの部分に結合されたひもと、帯片とフランジとの間に該ひもが挟まれるように該フランジに取り付けられた帯片と、ひもに沿ってフランジを押すために、該ひもに沿って摺動可能な部材と、を含んでいる。別の実施形態では、フランジはさらに、第１と第５のフラップ間に第１のファスナーが配置されるように、フランジの第２の面に結合された第５のフラップと、第２と第６のフラップ間に第２のファスナーが配置されるように、フランジの第２の面に結合された第６のフラップと、第３と第７のフラップ間に第３のファスナーが配置されるように、フランジの第２の面に結合された第７のフラップと、第４と第８のフラップ間に第４のファスナーが配置されるように、フランジの第２の面に結合された第８のフラップと、を含んでいる。フランジはまた、第１のファスナーに隣接する第５のファスナーと、第５のファスナーに付けるための、第１のファスナーに隣接する第６のファスナーと、第２のファスナーに隣接する第７のファスナーと、第７のファスナーに付けるための、第２のファスナーに隣接する第８のファスナーと、を含んでいる。フランジはまた、第３のファスナーに隣接する第９のファスナーと、第９のファスナーに付けるための、第３のファスナーに隣接する第１０のファスナーと、第４のファスナーに隣接する第１１のファスナーと、第１１のファスナーに付けるための、第４のファスナーに隣接する第１２のファスナーと、を含んでいる。別の実施形態では、フランジはまた、第１のパネルと、第１のパネルから延在する第２のパネルと、第２のパネルに向い合う第１のパネルから延在する第３のパネルと、第１のパネルから延在し、第２と第３のパネルに隣接する第４のパネルと、第４のパネルに向い合う第１のパネルから延在し、第２と第３のパネルに隣接する第５のパネルと、を含んでいて、第１のファスナーは第２のパネルの上に取り付けられ、第２のファスナーは第３のパネルの上に取り付けられ、第３のファスナーは第４のパネルの上に取り付けられ、かつ第４のファスナーは第５のパネルの上に取り付けられている。また別の実施形態では、開口は第１のパネルを通って形成されている。
【０００６】
更なる実施形態では、コリドールの一部を隔離するためのフランジは、第２の面に向き合う第１の面を含む本体と、フランジを貫通していて、本体を通って形成された再閉鎖可能な開口と、第１の縁と、第１の縁に向き合う第２の縁と、第１と第２の縁間に延在する第３の縁と、第３の縁に向き合う、第１と第２の縁間に延在する第４の縁と、フランジの第１の面に結合し、第１の縁の上に延在する第１のフラップと、フランジの第１の面に結合し、第２の縁の上に延在する第２のフラップと、フランジの第１の面に結合し、第３の縁の上に延在する第３のフラップと、フランジの第１の面に結合し、第４の縁の上に延在する第４のフラップと、を含んでいる。フランジはまた、第１と第５のフラップ間に第１の縁が配置されるように、フランジの第２の面に結合された第５のフラップと、第２と第６のフラップ間に第２の縁が配置されるように、フランジの第２の面に結合された第６のフラップと、第３と第７のフラップ間に第３の縁が配置されるように、フランジの第２の面に結合された第７のフラップと、第４と第８のフラップ間に第４の縁が配置されるように、フランジの第２の面に結合された第８のフラップと、を含んでいる。
【０００７】
また別の実施形態では、コリドールの区域を隔離するためのフランジは、第２の面に向き合う第１の面を含む本体と、フランジを貫通している、本体を通って形成された再閉鎖可能な開口と、第１の縁と、第１の縁に向き合う第２の縁と、第１と第２の縁間に延在する第３の縁と、第３の縁に向き合い、第１と第２の縁間に延在する第４の縁と、該縁のうちの１つに隣接する、第１の面の上のファスナーと、フランジの第１の面に結合し、ファスナーの上に延在する第１のフラップと、を含んでいる。別の実施形態では、フランジはまた、第１と第２のフラップ間にファスナーが配置されるように、第２の面に結合された第２のフラップを含んでいる。
【０００８】
また別の実施形態では、コリドールの一区域を隔離するためのフランジは、第２の面と向き合う第１の面を含む本体と、フランジを貫通している、本体を通って形成された再閉鎖可能な開口と、本体を囲んでいる周囲の縁と、周囲の縁に沿うファスナーと、ファスナーの上に延在していて、フランジの第１の面に結合された第１のフラップとを含んでいる。更なる実施形態では、フランジはまた、ファスナーが第１と第２のフラップ間に配置されるように、第２の面に結合された第２のフラップを含んでいる。
【０００９】
前記したいずれの実施形態でも、各ファスナーはベルクロの帯片、接着剤、接着剤の帯片又は他のいずれかのタイプのファスナーである。
【図面の簡単な説明】
【００１０】
【図１】図１は、本発明の実施の形態のコリドールフランジの前面の概略図である。
【図２】図２は、コリドールに取り付けられた本発明の実施の形態のコリドールフランジの透視図である。
【図３】図３は、図１の矢印３−３に沿って切断された本発明のフランジに用いられたフラップとコリドールフランジパネルの断面図である。
【図４】図４は、図１の矢印４−４に沿って切断された本発明のフランジに用いられたフラップとコリドールフランジパネルの断面図である。
【図５】図５は、図２の矢印５−５で切断された部分分解端部図であり、コリドールフランジの長さを短くするための、実施の形態のコリドールフランジの折り重ねられた部分を示している。
【図６】図６Ａと図６Ｂは、手すり支柱のない場所及び手すり支柱のある場所のそれぞれで、手すりの回りへの本発明のコリドールフランジの取り付けを示している断面図である。
【発明を実施するための形態】
【００１１】
本発明は、建物の大きな領域を隔離するために、独立して使用できる又は環境封じ込みユニットと組み合わせて使用できるフランジ１０及びそれを使用する方法を提供している。コリドールフランジは、コリドールの一方の側での建物の一方の側を、コリドールの他方の側での建物の他方の側から隔離するために、建物のコリドールに取り外し自在に取り付けられている。実施の形態のコリドールフランジは、例えば、感染をもたらしたり又は他の健康上のリスクをもたらす有機の又は無機の浮遊粒子状物質のような有害な廃棄物に対して不浸透性である物質から形成されている。この物質は、空気や水分のような粒子に対しては透過性がある。例えば、物質は、ビニール又はプラスチックシートを含んでいる。１つの例示の物質は、１２００デニール材である。
【００１２】
実施の形態である図１，２に示されるように、フランジ１０は、典型的には８フィートの広さまでと８から１０フィートの高さがある大部分のコリドール（回廊、廊下）に使用可能なように、約１０フィートの幅と約１１フィートの高さを有している。１０フィートの幅と１１フィートの高さのコルドールフランジを用いることによって、コリドールフランジは、異なる幅と高さ寸法の様々のコルドールに使用できる。コリドールフランジはまた、仮により大きなコリドールに用いられるならば、より大きな寸法を有するようにも作ることができる。別の実施の形態では、コリドールフランジは、取り付けられるコリドールの寸法に似通った又は同様な寸法を有している。
【００１３】
実施の形態では、コリドールフランジは５つのパネルを含んでいる。この５つのパネルは、頂部パネル１８に延びている中央パネル１６と、頂部パネル１８に対向している底部パネル２０と、中央パネル１６の一方から延びていて、頂部及び底部パネル間にある２つの対向する側部パネル２２，２４とを含んでいる。実施の形態では、中央パネルの回りに延在する４つのパネル（ここでは、便宜的に「周囲パネル」と称す）は各々、斜めのシーム（継ぎ目）２６に沿って互いに接続されている。別の実施の形態では、各々の接続シームは、垂直、水平又は斜めのいずれかである。更に別の実施の形態では、パネルの２つ又はそれ以上、又は全てが、１つのパネルとして一体に形成されている。
【００１４】
実施の形態では、底部パネル２０は約２フィートの高さ２８を有している。据付状態では、底部パネルは、その高さに沿ってコリドール床３０に平坦に置いてある。出願人は、床を覆うには２フィートで十分な長さであることを見い出した。別の実施の形態では、底部パネルは別の高さ寸法を有している。実施の形態では、頂部パネルは２フィートより大きい高さ３２を有している。実施の形態でコリドール上に据え付けた場合、中央パネル１６は床から上方に延在している。実施の形態では、中央パネルは約６フィートの高さ３４を有し、頂部パネルは約３フィートの高さ３２を有している。
【００１５】
コリドールフランジが据え付けられたときに、人々がコリドールの一方の側から他方の側へ移動することができるように、開口３６が中央パネルに形成されている。例えば、開口は約４フィートの幅３８と約５フィートの高さ４０を有している。その開口は、典型的にはコリドールフランジと同じ材料から作られたドアパネル４２によって閉じられる。実施の形態では、ドアパネルは、ジッパー４３で開口を閉じるために中央パネルに接続している。別の実施の形態では、ドアパネルは、例えばベルクロ（登録商標）（面ファスナー）又は他のタイプのファスナーのような手段でコリドールフランジと接続している。ドアパネルは、人々がパネルを開く前にパネルを通して見ることができるように、中央の透明な部分４４を有している。その上、プライバシーのために透明な部分を覆うフラップ（垂下物）４６が、透明な部分の一方の側から延在している。１実施例では、フラップは一端でドアパネルに縫い付けられ、他端では透明な部分を通る視界を遮ぎるために、ベルクロを用いてドアパネルに接続されている。そのような場合において、透明な部分が遮ぎられないようにするときは、フラップは、縫い付け端に向って開口状態へと巻き取られ、ドアパネルにも結合されているひものような手段を用いて所定の位置に結び付けられる。
【００１６】
空気抜け口４８もまたドアパネルに設けられている。空気抜け口はどの場所に設けられてもよい。実施の形態では、空気抜け口は透明な部分の下方に設けられている。実施の形態では、空気抜け口はドアパネルに形成された開口であり、網目状の部材５０によって覆われている。移動可能なフラップ５２が空気抜き口の後ろに設けられ、空気循環が必要ないときには、空気抜け口を閉じるようになっている。実施の形態では、このフラップは、空気抜け口を完全にシールするようにベルクロを用いて空気抜け口の全周の回りに接続されている。
【００１７】
ベルクロの主帯片５４が、各周囲パネルの自由端に沿って取り付けられている。実施の形態では、ベルクロの主帯片は、例えば図１，３，４に示されるように、そのようなパネルの縁に沿って、該パネルの各々の両側に取り付けられている。ベルクロの主帯片は、ループタイプのベルクロ又はフックタイプのベルクロのように、どのようなタイプのベルクロでもよい。実例の目的のために、ここでは本発明は、フックタイプのベルクロと接続するループタイプのベルクロの主帯片を用いて説明されている。実施の形態では、各周囲パネルに沿って用いられたベルクロの主帯片は、１インチ幅である。
【００１８】
実施の形態では、パネルを形成する同じタイプの材料である材料の帯片が、各周囲パネルの縁近くに取り付けられ、各パネルの自由端へと延在しており、それにより、そのような縁に沿って取り付けられたベルクロの主帯片５４を覆うフラップ５６（図１にシースルー（透明）に示され、また図３，４に示されている）を形成している。同様な材料の帯片が、反対のパネル面にも取り付けられていて、フラップ５８を形成しており、そのような反対のパネル面にも取り付けられたベルクロの主帯片を覆っている。実施の形態では、各フラップは約６インチの高さ６０を有している。ベルクロの小さな部分又はタブ６２は、フラップがパネルの縁でベルクロの主帯片と接続できるように異なる位置に沿ってフラップの内面に取り付けられており、ベルクロの主帯片５４を覆うを位置にフラップを保持し、それにより、ベルクロの主帯片が環境要素へ露出するのを防いでいる。ここに記載された実施の形態では、周囲パネルのベルクロの主帯片がループタイプのベルクロであるが、フラップのベルクロのタブは、周囲パネルのフックタイプのベルクロに接続できるように、フックタイプのベルクロである。
【００１９】
実施の形態では、ベルクロの第１の帯片６６は、各側部パネルの頂部及び側部パネルの縁に近接し、ベルクロの主帯片５４に隣接している各側部パネルの対向する両側に取り付けられている。ベルクロの第２の帯片６８は、主帯片にも隣接し、第１の帯片の下に直接に取り付けられている。２つの帯片は、反対のタイプのベルクロであり、パネルがその上に折り重ねられるとき、２つの帯片は互いに接続できない。実施の形態では、該第１の帯片は、頂部パネルの上縁から約１フィートの距離７０だけ下がって取り付けられている。更に実施の形態では、ベルクロの第１及び第２の帯片の各々は約２フィートの長さである。
【００２０】
実施の形態では、２つの長手方向に整列したベルクロの反対タイプの帯片７２，７４は、例として図１に示されるように、頂部パネルの左縁及び頂部パネルの右縁にそれぞれ近接し、頂部パネルの両側の主帯片に隣接及び内側に取り付けられている。同様に長手方向に整列したベルクロの反対タイプの２つの帯片７６，７８は、例として図１に示されるように、底部パネルの左縁及び底部パネルの右縁にそれぞれ近接し、底部パネルの両側の主帯片に隣接かつ内側に取り付けられている。実施の形態では、頂部及び底部パネルの第１及び第２の帯片の各々は、約１フィートの長さである。これらの帯片の各々の第１の帯片は、頂部及び底部パネルの対応する右縁又は左縁から約１フィート離れるように位置付けされている。
【００２１】
別の実施の形態では、１つ又はそれ以上のひも、ロープ又は材料の断片又は帯片（ここでは、まとめて又は別々に「ひも８０」と称す）が、開口の上方の頂部パネルの頂部に取り付けられている。実施の形態では、３つのひも８０が、頂部パネルの左右の側部間の中央の回りにほぼ位置し、互いのひもが間隔をあけて取り付けられている。織物の帯片８２が、頂部パネルに取り付けられ、各々のひもをカバーする。これらの帯片は、ひもを収容するポーチを形成している。当技術分野で公知であるロックユニット８４が、ひもの端部に設けられている。ロックユニットの各々は、ひもが通されるバネ負荷の筒状部材８６を含んでいる。筒状部材が圧縮されると、それらはひもに沿って摺動でき、それらが解放されると、それらは、ひもにロックする。
【００２２】
実施の形態では、フランジをコリドールに取り付けるために、ベルクロの帯片が、コリドールを区画形成している側壁、天井及び床の各々に取り付けられるか、又は別の方法で、コリドールを区画形成している側壁、天井及び床の各々に接続される。実施の形態では、これらのベルクロ帯片の各々は、それが取り付けられる壁、天井又は床の全部に渡って延在している。便宜上、ベルクロのこれら帯片は、ここでは「コリドールベルクロ帯片８８」と称す。実施の形態では、パネルの縁のベルクロの主帯片は、ループタイプのベルクロであり、コリドールベルクロ帯片は、フックタイプのベルクロである。
【００２３】
ベルクロの主帯片５４は、側部パネルの縁が壁に取り付けられ、頂部パネルの縁が天井に取り付けられ、かつ底部パネルの縁が床に取り付けられるように、対応するコリドールベルクロ帯片８８に取り付けられている。１つの実施の形態では、第１に、底部パネルのベルクロの主帯片が、床のコリドールベルクロ帯片に取り付けられる。そのとき、底部パネルは床３０上に平坦に置かれている。それから２つの側部パネル２２，２４が持ち上げられ、壁の対応するコリドールベルクロ帯片にベルクロの主帯片を使用して接続される。頂部パネルのベルクロ帯片は、天井９２の対応するコリドールベルクロ帯片に接続される。実施の形態では、対応するベルクロ帯片は、まず、例えば壁と天井又は壁と床との間の角部である、角部で始点が接続されている。
【００２４】
仮に頂部及び底部パネルが広すぎるなら、それぞれ対応する第１の帯片がシールされた折り重ねを形成している対応する第２の帯片に接続されるように、頂部と底部パネル１８，２０の隣接する第１と第２の帯片７２，７４；７６，７８間の位置でそれら自体の上に折り重ねられる。同様に、仮に側部パネルが長すぎるなら、それぞれ各々の対応する第１の帯片がシールされた折り重ねを形成している各々の対応する第２の帯片に接続されるように、側部パネルの隣接する第１と第２の帯片６６，６８間の位置でそれら自体の上に折り重ねられる。典型的な折り重ね部分１４０は、図５の拡大分解図に示されるように、側部パネル２４に沿って形成される。折り重ね部分１４０を形成するために、パネルの第１の部分１４２が、図５に示されるように、壁１４４に接続されたパネル部分１４３に対して折り重ねられる。パネルの第２の部分１４５は、パネルの第１の部分１４２に対して折り重ねられる。注目すべきは、パネルの第１と第２の折り重ね部分は、ベルクロの第１の帯片６６とそれに対応するベルクロの帯片６８とが互いに向い合っていることである。換言すれば、第２の折り重ね部分は、第１のベルクロの帯片がパネルの第２の折り重ね部分上に形成され、対応する第２のベルクロの帯片がパネルの第１の折り重ね部分上に形成されるような位置で、第１の折り重ね部分に対して折り重ねられている。パネルの第２の折り重ね部分１４５は、第１の折り重ね部分１４２及び壁部１４６に対し矢印１４８のように押圧され、こうしてパネルの第２の折り重ね部分が、第１及び第２のベルクロの帯片によってパネルの第１の折り重ね部分と接続し、シールを形成する。第１の折り重ね部分の上に延在している第２の折り重ね部分に接続されているベルクロの主帯片の一部分１４７が、壁部分１４６に接着されたコリドールベルクロ帯片８８に接触し、それに接続するときに、壁部分１４６と一緒になってシールもまた形成される。
【００２５】
頂部パネルの一部分が折り重ねられるとき、それは、開口及びコリドールフランジを通る開口を封鎖するドアパネルの上を覆っている。そのような場合、ドアパネル及び／又は開口がより良く露出するように、頂部パネルの上部を上方へ押しているひもに沿って、ロックが上方に移動する。
【００２６】
もし壁１３２に接続した手すり１３０、例えば手すり支柱１３３と一緒の、手すりがあるならば、コリドールベルクロ帯片８８は、例えば手すり支柱がない場所では図６Ａに示されるように、また手すり支柱がある場所では図６Ｂに示されるように、手すりを覆っている。図６Ｂから分かるように手すり支柱のある場所では、覆うベルクロ帯片８８は、手すり１３０を覆って、かつ手すり１３０に接続又は接着され、また手すり支柱にも接続又は接着される。手すり支柱のない場所では、図６Ａに示されるように、ベルクロ帯片は、手すり１３０の回りを覆って、手すりに接続又は接着され、かつ壁１３２と手すりの間の場所１３５では、ベルクロ帯片同士が接続又は接着される。それから、対応するベルクロの主帯片は、覆ったコリドールベルクロ帯片に取り付けられ、壁、手すり及びコリドールフランジ間にシールされた接続を形成する。
【００２７】
実施の形態では、パネルの１つには、例えばＨＥＰＡ（高性能粒子捕捉器）フィルター空気装置又は真空源に結合された導管のような、導管を受け入れるための開口１３４が形成されている。この関連で、本発明のコリドールフランジによって隔離されたコリドールの一方の側は、負圧とされている。さらに、別の開口が、電気ワイヤ又は他の管状物を通すために形成されている。これらの開口にはそれぞれ、使用されないときにはそのような開口を覆うように、コリドールフランジに取り付けられた分離部分が設けられている。
【００２８】
別の実施の形態では、コリドールフランジは、ここに参考として採り入れる米国特許第７，１３４，４４４号明細書（特許’４４４）に記載された環境封じ込みユニットのような環境封じ込みユニットと組み合わせて使用するようにデザインされている。この実施の形態では、材料の帯片１３６は開口の周囲に取り付けられている。材料の帯片は、特許’４４４の図５Ａに示される開口の周囲と同じサイズで、パネル１０８によって覆われる周囲を区画形成している。ジッパーの接続具１３８が材料の帯片の自由端に取り付けられている。この関連で、パネル１０８は環境封じ込みユニットから取り外され、該ユニットのジッパー１１０が、フランジが該ユニットに接続されるときに材料の帯片にチャックで取り付けられている。この実施の形態で、環境封じ込みユニットは待合室を提供する。実施の形態の該環境ユニットは、コリドールフランジと同様の材料から形成されている。
【００２９】
他の実施の形態では、環境封じ込みユニットは、一端でコリドールフランジに接続し、他端では別の環境封じ込みユニットに接続している。この実施の形態の該ユニットは、その反対側に開口が形成され、それらの縁に沿ってジッパーを有している。一方のユニットの開口は、ユニットを接続する他方のユニットの開口にチャックで取り付けられる。さらに別の実施の形態では、カフ（連結材）、すなわちトンネルが、離れた関係にあるユニット同志を相互に連結するのに用いられる。カフは、対向する端部で各ユニットの開口へチャックで取り付ける。この関連で、より長い待合室が、ストレッチャー又は他の長い対象物を収容するために区画形成されている。実施の形態では、カフは、ユニットと同じ材料から形成されている。別の実施の形態では、カフは、ユニットのいずれかを形成している材料とは異なる材料から形成される。
【００３０】
本発明は、多様な実施の形態に対して記載され、説明されているが、この後で特許請求の範囲に記載されているように、本発明の完全に意図された範囲内にある変更及び修正をここに加えることができるので、本発明はこれに限定されるべきでないことが理解できるであろう。例えば、第１と第２のベルクロ帯片又は他の第１と第２のベルクロ帯片が、コリドールフランジの周囲に沿う異なった場所に取り付けることができ、その幅とその高さを減少するために、フランジが折り重ねられるもっと多く場所を提供することができる。さらに、ロックユニットに代えて、フランジ材料を上方に押すことができ、開口３６をふさがないような場所でフランジ材料を保持することができる別の部材又は要素を使用することができる。さらに、パネルの両側面のベルクロの主帯片を適用するのに代えて、取り付け及びシールが必要な領域のみ、それらを選択的に適用してもよい。さらに、ベルクロ帯片は、自己接着剤であってもよい。別の実施形態では、壁又は天井又は床又はパネル自体のいずれかにベルクロ帯片を接続するのに適用するために、別々の接着剤が必要とされる。さらにまた、実施のベルクロ帯片が１インチの幅を有している一方で、他の幅のベルクロもまた使用される。
【００３１】
本発明は、実施の形態に対して記載され、説明されているが、この後に特許請求の範囲に記載されているように、本発明の完全に意図された範囲内にある変更及び修正をこれに加えることができるので、本発明はこれに限定されるべきでないことが理解できるであろう。例えばベルクロに代えて、他のタイプのファスナー又は接着剤が使用できる。１つの実施の形態では、フランジ又は壁又はべたつき面を有するか又は有しない他の帯片へ着脱可能に接着できるべたつき面を有する帯片もまた使用できる。これらのファスナーは、それらが固定するであろう表面に、永久的に又は着脱可能に取り付けられる。他の実施の形態では、ファスナーを組み入れている帯片が、ベルクロの代わりに用いられるか、又はファスナーがフランジに直接に取り付けられる。そのような場合、フランジのファスナーで固定するためにフランジが取り付けられなければならない表面にも、ファスナーが取り付けられなければならない。これらのファスナーはまた、壁又はコリドールの面に取り付けられている帯片にある。ここでは「ファスナー」の用語は、他の物の間にある、ベルクロ、接着剤、ジッパー、化学的なタイプのファスナー、又はスナップボタン、ボタン、ボタン穴等の機械的なタイプのファスナーを含むいずれのファスナー又は固定装置に言及していることを注意すべきである。
【図１】
2010535300.tif 000003
【図２】
2010535300.tif 000004
【図３】
2010535300.tif 000005
【図４】
2010535300.tif 000006
【図５】
2010535300.tif 000007
【図６Ａ】
2010535300.tif 000008
【図６Ｂ】
2010535300.tif 000009
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
コリドールの一部分を隔離するためのフランジが、
第２の面に対向する第１の面を備えている本体と、
該フランジを貫通する、該本体を通って形成された再閉鎖可能な開口と、
第１の縁と、
該第１の縁に対向する第２の縁と、
該第１と第２の縁との間に延在する第３の縁と、
該第３の縁に対向し、該第１と第２の縁との間に延在する第４の縁と、
前記縁の１つに隣接し、前記第１の面の上の第１のファスナーと、及び
該フランジの第１の面に結合され、該ファスナーの上に延在する第１のフラップと、
を備えているフランジ。
【請求項２】
該第１のファスナーが、該第１の縁に隣接していて、該フランジが、
該第２の縁に隣接する第２のファスナーと、
該第３の縁に隣接する第３のファスナーと、
該第４の縁に隣接する第４のファスナーと、
該フランジの第１の面に結合され、該第１のファスナーの上に延在する第１のフラップと、
該フランジの第１の面に結合され、該第２のファスナーの上に延在する第２のフラップと、
該フランジの第１の面に結合され、該第３のファスナーの上に延在する第３のフラップと、及び
該フランジの第１の面に結合され、該第４のファスナーの上に延在する第４のフラップと、
を備えている請求項１に記載のフランジ。
【請求項３】
真空源を受け入れるための、該フランジを通る開口を更に備えている請求項１又は２に記載のフランジ。
【請求項４】
高性能（ＨＥＰＡ）フィルター空気装置に結合された導管を受け入れるための、該フランジを通る開口を更に備えている請求項１〜３のいずれか１項に記載のフランジ。
【請求項５】
該フランジに結合されたジッパーを備えていて、該ジッパーは、環境封じ込みユニットとチャック締めにより結合するための少なくとも一部の開口を囲んでいる請求項１〜４のいずれか１項に記載のフランジ。
【請求項６】
前記ジッパーが、該環境封じ込みユニット内の開口の回りに前記フランジをチャック締めするためのものであるところの請求項５に記載のフランジ。
【請求項７】
該フランジに結合し、環境封じ込みユニットと結合するための少なくとも一部の開口を囲んでいる手段を更に備えている請求項１〜６のいずれか一項に記載のフランジ。
【請求項８】
該第１の縁まで延在している一部分を備え、前記部分が、該第３の縁から該第４の縁まで延在している折り重ね部分を備えている請求項１に記載のフランジ。
【請求項９】
該フランジの該部分に結合したひもと、
該フランジに取り付けられた帯片であって、該ひもが、該帯片と該フランジとの間に狭持されているところの該帯片と、及び
該ひもに沿って該フランジを押すための、該ひもに沿って摺動可能な部材と、
を更に備えている請求項８に記載のフランジ。
【請求項１０】
該フランジの第２の面に結合された第５のフラップであって、前記第１のファスナーが、前記第１と第５のフラップの間に配置されているところの該第５のフラップと、
該フランジの第２の面に結合された第６のフラップであって、前記第２のファスナーが、前記第２と第６のフラップの間に配置されているところの該第６のフラップと、
該フランジの第２の面に結合された第７のフラップであって、前記第３のファスナーが、前記第３と第７のフラップの間に配置されているところの該第７のフラップと、及び
該フランジの第２の面に結合された第８のフラップであって、前記第４のファスナーが、前記第４と第８のフラップの間に配置されているところの該第８のフラップと、
を更に備えている請求項１〜９のいずれか一項に記載のフランジ。
【請求項１１】
各々のファスナーが、接着剤であるところの請求項１〜１０のいずれか一項に記載のフランジ。
【請求項１２】
該第１のファスナーに隣接する第５のファスナーと、
該第５のファスナーで留めるための、該第１のファスナーに隣接する第６のファスナーと、
該第２のファスナー隣接する第７のファスナーと、及び
該第７のファスナーで留めるための、該第２のファスナーに隣接する第８のファスナーと、
を更に備えている請求項１〜１１のいずれか一項に記載のフランジ。
【請求項１３】
該第３のファスナーに隣接する第９のファスナーと、
該第９のファスナーで留めるための、該第３のファスナーに隣接する第１０のファスナーと、
該第４のファスナーに隣接する第１１のファスナーと、及び
該第１１のファスナーで留めるための、該第４のファスナーに隣接する第１２のファスナーと、
を更に備えている請求項１〜１２のいずれか一項に記載のフランジ。
【請求項１４】
該第１のファスナーが、前記第１の面の上のベルクロ（登録商標）の第１の帯片であり、該第２のファスナーが、前記第１の面の上のベルクロの第２の帯片であり、該第３のファスナーが、前記第１の面の上のベルクロの第３の帯片であり、また該第４のファスナーが、前記第１の面の上のベルクロの第４の帯片であるところの請求項２〜１３のいずれか一項に記載のフランジ。
【請求項１５】
該フランジの第２の面に結合された第５のフラップであって、前記ベルクロの第１の帯片が、前記第１と第５のフラップの間に配置されているところの該第５のフラップと、
該フランジの第２の面に結合された第６のフラップであって、前記ベルクロの第２の帯片が、前記第２と第６のフラップの間に配置されているところの該第６のフラップと、
該フランジの第２の面に結合された第７のフラップであって、前記ベルクロの第３の帯片が、前記第３と第７のフラップの間に配置されているところの該第７のフラップと、及び
該フランジの第２の面に結合された第８のフラップであって、前記ベルクロの第４の帯片が、前記第４と第８のフラップ間に配置されているところの該第８のフラップと、
を更に備えている請求項１４に記載のフランジ。
【請求項１６】
該ベルクロの第１の帯片に隣接するベルクロの第５の帯片と、
該ベルクロの第５の帯片と結合するための、該ベルクロの第１の帯片に隣接するベルクロの第６の帯片と、
該ベルクロの第２の帯片に隣接するベルクロの第７の帯片と、及び
該ベルクロの第７の帯片と結合するための、該ベルクロの第２の帯片に隣接するベルクロの第８の帯片と、
を更に備えている請求項１５に記載のフランジ。
【請求項１７】
該ベルクロの第３の帯片に隣接するベルクロの第９の帯片と、
該ベルクロの第９の帯片と結合するための、該ベルクロの第３の帯片に隣接するベルクロの第１０の帯片と、
該ベルクロの第４の帯片に隣接するベルクロの第１１の帯片と、及び
該ベルクロの第１１の帯片と結合するための、該ベルクロの第４の帯片に隣接するベルクロの第１２の帯片と、
を更に備えている請求項１６に記載のフランジ。
【請求項１８】
該フランジが、
第１のパネルと、
該第１のパネルから延在する第２のパネルと、
該第２のパネルに対向する該第１のパネルから延在する第３のパネルと、
該第１のパネルから延在し、該第２と第３のパネル間にある第４のパネルと、及び
該第４のパネルに対向する該第１のパネルから延在し、該第２と第３のパネル間にある第５のパネルであって、該第１のファスナーが該第２のパネルの上に貼り付けられ、該第２のファスナーが該第３のパネルの上に貼り付けられ、該第３のファスナーが該第４のパネルの上に貼り付けられ、かつ該第４のファスナーが該第５のパネルの上に貼り付けられているところの該第５のパネルと、
を更に備えているところの請求項１〜１７のいずれか一項に記載のフランジ。
【請求項１９】
コリドールの一部分を隔離するためのフランジが、
第２の面に対向する第１の面を備えている本体と、
該フランジを貫通する、該本体を通って形成された再閉鎖可能な開口と、
第１の縁と、
該第１の縁に対向する第２の縁と、
該第１と第２の縁の間に延在する第３の縁と、
該第３の縁に対向し、該第１と第２の縁との間に延在する第４の縁と、
該フランジの第１の面に結合され、該第１の縁の上に延在する第１のフラップと、
該フランジの第１の面に結合され、該第２の縁の上に延在する第２のフラップと、
該フランジの第１の面に結合され、該第３の縁の上に延在する第３のフラップと、及び
該フランジの第１の面に結合され、該第４の縁の上に延在する第４のフラップと、
を備えているフランジ。
【請求項２０】
該フランジの第２の面に結合された第５のフラップであって、前記第１の縁が、前記第１と第５のフラップの間に配置されているところの該第５のフラップと、
該フランジの第２の面に結合された第６のフラップであって、前記第２の縁が、前記第２と第６のフラップの間に配置されているところの該第６のフラップと、
該フランジの第２の面に結合された第７のフラップであって、前記第３の縁が、前記第３と第７のフラップの間に配置されているところの該第７のフラップと、及び
該フランジの第２の面に結合された第８のフラップであって、前記第４の縁が、前記第４と第８のフラップの間に配置されているところの該第８のフラップと、
を更に備えている請求項１９に記載のフランジ。
【請求項２１】
コリドールの一部分を隔離するためのフランジが、
第２の面に対向する第１の面を備えている本体と、
該フランジを貫通する、該本体を通って形成された再閉鎖可能な開口と、
該本体を囲んでいる周囲の縁と、
該周囲の縁に沿うファスナーと、及び
該フランジの第１の面に結合され、該ファスナーの上に延在する第１のフラップと、
を備えているフランジ。
【請求項２２】
該第２の面に結合された第２のフラップであって、前記ファスナーが、前記第１と第２のフラップの間に配置されているところの該第２のフラップを更に備えている請求項２２に記載のフランジ。
【請求項２３】
前記ファスナーが接着剤であるところの請求項２１又は２２に記載のフランジ。
【請求項２４】
前記ファスナーが、前記周囲の縁に沿って延在するベルクロの帯片であるところの請求項２１，２２又は２３に記載のフランジ。
【国際調査報告】
2010535300.tif 000010